(57)【要約】【課題】利便性が高いサーバ、アフィリエイトシステム、来店確認方法、プログラム、携帯端末およびアプリケーションプログラムを提供することを目的とする。【解決手段】携帯端末１０のアプリケーションの初回起動時にはアフィリエイトサーバ２が携帯端末１０にユーザＩＤを付与し、利用者の広告閲覧時にはユーザＩＤとコンテンツＩＤが、そして実際の店舗への利用者の来店時にはユーザＩＤとタグＩＤが、携帯端末１０からアフィリエイトサーバ２に送られる。アフィリエイトサーバ２の制御部２４は、同じユーザＩＤとともに送られたコンテンツＩＤとタグＩＤについてコンテンツ管理テーブルを参照し、利用者（ユーザＩＤ）が広告コンテンツ（コンテンツＩＤ）を閲覧した後に実際の店舗へ来店して、携帯端末１０をＩＣタグ３０（タグＩＤ）にかざしたか否かを判断する。【選択図】図１
2014059774.tif 000002
【特許請求の範囲】
【請求項１】
店舗における物品販売またはサービス提供についての広告を表示する携帯端末と情報を送受信するサーバであって、
前記店舗に設置された機器のＩＤである機器ＩＤ、および前記広告のＩＤである広告ＩＤを予め関連付けて記憶するＩＤ記憶手段と、
前記携帯端末にユーザＩＤを与えるユーザＩＤ付与手段と、
前記ユーザＩＤおよび表示した前記広告の広告ＩＤを前記携帯端末から取得する広告ＩＤ取得手段と、
前記機器ＩＤを前記携帯端末を介して取得するとともに前記携帯端末から前記ユーザＩＤを取得する機器ＩＤ取得手段と、
を備えることを特徴とするサーバ。
【請求項２】
前記サーバは、更に、判断手段を備え、
前記判断手段は、
前記ＩＤ記憶手段に関連付けて記憶した前記機器ＩＤおよび前記広告ＩＤ、
前記広告ＩＤ取得手段が取得した前記広告ＩＤおよび前記ユーザＩＤ、並びに、
前記機器ＩＤ取得手段が取得した前記機器ＩＤおよび前記ユーザＩＤ
に基づいて、前記ユーザＩＤに係る前記広告ＩＤと、当該ユーザＩＤに係る前記機器ＩＤとが、関連付けて記憶されているならば、前記ユーザＩＤを取得した前記携帯端末の利用者が前記広告に関連する前記店舗に来店したと判断する
ことを特徴とする請求項１に記載のサーバ。
【請求項３】
前記機器ＩＤ取得手段は、前記機器ＩＤを保持する前記機器との間で無線通信を行う前記携帯端末を介して前記機器ＩＤを取得することを特徴とする請求項１または請求項２に記載のサーバ。
【請求項４】
前記機器は、ＩＣタグであることを特徴とする請求項３に記載のサーバ。
【請求項５】
前記機器は、リーダライタであることを特徴とする請求項３に記載のサーバ。
【請求項６】
店舗における物品販売またはサービス提供についての広告を表示する携帯端末との間で情報を送受信するサーバと、前記店舗に設置された機器とからなるアフィリエイトシステムであって、
前記サーバは、
前記機器の機器ＩＤ、および前記広告のＩＤである広告ＩＤを予め関連付けて記憶するＩＤ記憶手段と、
前記携帯端末にユーザＩＤを与えるユーザＩＤ付与手段と、
前記ユーザＩＤおよび表示した前記広告の広告ＩＤを前記携帯端末から取得する広告ＩＤ取得手段と、
前記機器ＩＤを前記携帯端末を介して取得するとともに前記携帯端末から前記ユーザＩＤを取得する機器ＩＤ取得手段と、
前記ＩＤ記憶手段、前記広告ＩＤ取得手段および前記機器ＩＤ取得手段から情報を取得して、前記携帯端末の利用者が表示した前記広告に関連する前記店舗に来店したか否かを判断する判断手段と、
を備え、
前記機器は、
当該機器のＩＤである前記機器ＩＤを保持する
ことを特徴とするアフィリエイトシステム。
【請求項７】
店舗における物品販売またはサービス提供についての広告を表示した携帯端末の利用者が前記店舗に来店したか否かを判断する来店確認方法であって、
前記携帯端末にユーザＩＤを与えるユーザＩＤ付与ステップと、
前記ユーザＩＤおよび表示した前記広告のＩＤである広告ＩＤを前記携帯端末から取得する広告ＩＤ取得ステップと、
前記店舗に設置された機器のＩＤである機器ＩＤを前記携帯端末を介して取得するとともに前記携帯端末から前記ユーザＩＤを取得する機器ＩＤ取得ステップと、
前記機器ＩＤおよび前記広告ＩＤを予め関連付けて記憶するＩＤ記憶部と、前記広告ＩＤ取得ステップおよび前記機器ＩＤ取得ステップとから情報を取得して、前記携帯端末の利用者が表示した前記広告に関連する前記店舗に来店したか否かを判断する判断ステップと、
を含むことを特徴とする来店確認方法。
【請求項８】
店舗における物品販売またはサービス提供についての広告を表示する携帯端末と情報を送受信するサーバ上で動作するプログラムであって、
前記サーバを
前記携帯端末にユーザＩＤを与えるユーザＩＤ付与手段、
前記ユーザＩＤおよび表示した前記広告のＩＤである広告ＩＤを前記携帯端末から取得する広告ＩＤ取得手段、
前記店舗に設置された機器のＩＤである機器ＩＤを前記携帯端末を介して取得するとともに前記携帯端末から前記ユーザＩＤを取得する機器ＩＤ取得手段、
前記機器ＩＤおよび前記広告ＩＤを予め関連付けて記憶するＩＤ記憶部と、前記広告ＩＤ取得手段および前記機器ＩＤ取得手段とから情報を取得して、前記携帯端末の利用者が表示した前記広告に関連する前記店舗に来店したか否かを判断する判断手段、
として機能させるためのプログラム。
【請求項９】
店舗における物品販売またはサービス提供についての広告を表示し、前記広告を表示した携帯端末の利用者が前記広告に関連する店舗に来店したか否かを判断するサーバとの間で情報を送受信する携帯端末であって、
ユーザＩＤをサーバから取得するユーザＩＤ取得手段と、
表示した前記広告の広告ＩＤを取得するとともに前記広告ＩＤおよび前記ユーザＩＤを前記サーバに送信する広告ＩＤ送信手段と、
店舗に設置された機器から機器ＩＤを取得する機器ＩＤ通信手段と、
取得した前記機器ＩＤおよび前記ユーザＩＤを前記サーバに送信する機器ＩＤ送信手段と、
を備えることを特徴とする携帯端末。
【請求項１０】
店舗における物品販売またはサービス提供についての広告を表示し、広告を表示した携帯端末の利用者が前記広告に関連する店舗に来店したか否かを判断するサーバとの間で情報を送受信する携帯端末上で動作するアプリケーションプログラムであって、
前記携帯端末を
ユーザＩＤをサーバから取得するユーザＩＤ取得手段、
表示した前記広告の広告ＩＤを取得するとともに前記広告ＩＤおよび前記ユーザＩＤを前記サーバに送信する広告ＩＤ送信手段、
店舗に設置された機器から機器ＩＤを取得する機器ＩＤ通信手段、
取得した前記機器ＩＤおよび前記ユーザＩＤを前記サーバに送信する機器ＩＤ送信手段、
として機能させるためのアプリケーションプログラム。
【請求項１１】
店舗における物品販売またはサービス提供についての広告を表示する携帯端末と情報を送受信するサーバであって、
前記店舗に設置された機器のＩＤである機器ＩＤ、および前記広告のＩＤである広告ＩＤを予め関連付けて記憶するＩＤ記憶手段と、
前記携帯端末にユーザＩＤを与えるユーザＩＤ付与手段と、
前記ユーザＩＤおよび表示された前記広告の広告ＩＤを前記携帯端末から取得する広告ＩＤ取得手段と、
前記機器から前記機器ＩＤを取得するとともに前記機器を介して前記ユーザＩＤを取得する機器ＩＤ取得手段と、
を備えることを特徴とするサーバ。
【請求項１２】
前記サーバは、更に、判断手段を備え、
前記判断手段は、前記ＩＤ記憶手段、前記広告ＩＤ取得手段および前記機器ＩＤ取得手段から情報を取得して、前記携帯端末の利用者が表示した前記広告に関連する前記店舗に来店したか否かを判断する
ことを特徴とする請求項１１に記載のサーバ。
【請求項１３】
店舗における物品販売またはサービス提供についての広告を表示する携帯端末との間で情報を送受信するサーバと、店舗に設置された機器とが、ネットワークを介して接続されたアフィリエイトシステムであって、
前記サーバは、
前記店舗に設置された機器のＩＤである機器ＩＤ、および前記広告のＩＤである広告ＩＤを予め関連付けて記憶するＩＤ記憶手段と、
前記携帯端末にユーザＩＤを与えるユーザＩＤ付与手段と、
前記ユーザＩＤおよび表示された前記広告の広告ＩＤを前記携帯端末から取得する広告ＩＤ取得手段と、
前記機器から前記機器ＩＤを取得するとともに前記機器を介して前記ユーザＩＤを取得する機器ＩＤ取得手段と、
前記ＩＤ記憶手段、前記広告ＩＤ取得手段および前記機器ＩＤ取得手段から情報を取得して、前記携帯端末の利用者が表示した前記広告に関連する前記店舗に来店したか否かを判断する判断手段と、
を備える
ことを特徴とするアフィリエイトシステム。
【発明の詳細な説明】
【技術分野】
【０００１】
本発明は、携帯端末に広告を表示するアフィリエイトに関し、特に、広告を閲覧した携帯端末の利用者が、実際の店舗に来店したか否かを確認するための技術に関する。
【背景技術】
【０００２】
一般にアフィリエイトとは、成功報酬型広告とも呼ばれ、インターネットにおいて、広告媒体のウエブサイト、メール、ブログ、ソーシャル・ネットワーキング・サービスなどに設けられた広告がきっかけとなって、広告を閲覧した利用者が広告主の商品あるいはサービス等を購入したときに、生じた利益に応じて広告媒体の主催者に成功報酬を与える経済活動の一つである。
【０００３】
成功報酬の条件が実際の店舗への来店や実際の店舗での購入である場合、利用者の来店実績や購買実績がアフィリエイトシステム上で確認される必要がある。利用者の来店実績や購買実績を確認するために、利用者の携帯端末と店舗に設置された通信端末を利用するアフィリエイトシステムの例が特許文献１および特許文献２に記載されている。
【０００４】
特許文献１には、利用者の広告閲覧時にアクセス日時、携帯端末のＩＤ、広告媒体サイトおよび広告主が関連付けてデータベースに記憶され、利用者の来店時に携帯端末のＩＤ、携帯端末に搭載されたＩＣカードのＩＤ、店舗の通信端末のＩＤがデータベースに記憶され、その後、データベースに記憶された情報を照合することにより来店確認を行うことが記載されている。
【０００５】
特許文献２には、ユーザ端末からクーポンサーバに電子クーポンが要求された時に、クーポンサーバが仲介者ＩＤを付与された電子クーポンをユーザ端末に配信し、利用者が店舗でクーポンを行使した時にユーザの携帯端末の通信機能が使用できない環境であっても、ユーザ端末がその後にネットワークに接続されたときに、行使済みクーポンの情報がクーポンサーバに送られることが記載されている。
【先行技術文献】
【特許文献】
【０００６】
【特許文献１】特開２０１２−９３８０５号公報
【特許文献２】特開２００９−２７６９３２号公報
【発明の概要】
【発明が解決しようとする課題】
【０００７】
しかしながら、上記の従来技術には以下のような問題点がある。
上記従来技術においては、アフィリエイトの情報処理を担うアフィリエイトサーバが利用者の携帯端末のＩＤをはじめ、携帯端末内のＩＣチップのＩＤ、広告主のＩＤ、広告媒体のＩＤ、店舗の通信端末のＩＤなど、多数の情報を収集して保存し、さらに情報の照会や関連付けをしなくてはならない。このため、アフィリエイトサーバには高速な処理が要求され、大きな記憶装置が必要となるという問題がある。また、時にはアフィリエイトサーバに処理能力を超える情報が集まってしまい、処理に時間がかかり、アフィリエイトサーバの負荷が大きくなってしまうという問題がある。
【０００８】
本発明は、以上の問題点を解決するためなされたものであり、利便性が高いサーバ装置、アフィリエイトシステム、来店確認方法、アプリケーションプログラムおよび携帯端末を提供することを目的とする。
【課題を解決するための手段】
【０００９】
上記目的を達成するための第１の発明は、店舗における物品販売またはサービス提供についての広告を表示する携帯端末と情報を送受信するサーバであって、
前記店舗に設置された機器のＩＤである機器ＩＤ、および前記広告のＩＤである広告ＩＤを予め関連付けて記憶するＩＤ記憶手段と、前記携帯端末にユーザＩＤを与えるユーザＩＤ付与手段と、前記ユーザＩＤおよび表示した前記広告の広告ＩＤを前記携帯端末から取得する広告ＩＤ取得手段と、前記機器ＩＤを前記携帯端末を介して取得するとともに前記携帯端末から前記ユーザＩＤを取得する機器ＩＤ取得手段と、を備えることを特徴とするサーバである。
【００１０】
第１の発明によれば、ＩＤ記憶部、広告ＩＤ取得手段並びに機器ＩＤ取得手段から情報を取得して、携帯端末の利用者が店舗に来店したか否かを判断するためのデータを収集することができる。さらに、これらの情報は広告媒体の主催者への成功報酬に利用できる。また、サーバが受け取るＩＤは、ユーザＩＤ、広告ＩＤ並びに機器ＩＤであるので、サーバが扱う情報量が少なく、サーバにかかる負荷が少なくできる。
【００１１】
第１の発明のサーバは、更に、判断手段を備え、前記判断手段は、前記ＩＤ記憶手段に関連付けて記憶した前記機器ＩＤおよび前記広告ＩＤ、前記広告ＩＤ取得手段が取得した前記広告ＩＤおよび前記ユーザＩＤ、並びに、前記機器ＩＤ取得手段が取得した前記機器ＩＤおよび前記ユーザＩＤに基づいて、前記ユーザＩＤに係る前記広告ＩＤと、当該ユーザＩＤに係る前記機器ＩＤとが、関連付けて記憶されているならば、前記ユーザＩＤを取得した前記携帯端末の利用者が前記広告に関連する前記店舗に来店したと判断することが望ましい。
【００１２】
これによって、記憶部に関連付けて記憶した機器ＩＤおよび広告ＩＤ、広告ＩＤ取得手段が取得した広告ＩＤおよびユーザＩＤ、および機器ＩＤ取得手段が取得した機器ＩＤおよびユーザＩＤに基づいて、ユーザＩＤを取得した携帯端末の利用者が広告に関連する店舗に来店したか否かを、判断手段が判断することができる。サーバの判断手段が処理するＩＤは、ユーザＩＤ、広告ＩＤ並びに機器ＩＤで、判断手段が扱う情報量が少ないので、迅速に判断を行うことができる。
【００１３】
また、第１の発明の機器ＩＤ取得手段は、前記機器ＩＤを保持する前記機器との間で無線通信を行う前記携帯端末を介して前記機器ＩＤを取得することが望ましい。これによって、無線通信により店舗に設置された機器から携帯端末に機器ＩＤが送信されるので、機器と携帯端末が非接触で通信でき、利便性が高い。
【００１４】
また、機器は、ＩＣタグまたはリーダライタであることが望ましい。これによって、ネットワークに接続していない店舗や電源のない屋外店舗でも来店確認ができ、より利便性が高い。
【００１５】
第２の発明は、店舗における物品販売またはサービス提供についての広告を表示する携帯端末との間で情報を送受信するサーバと、前記店舗に設置された機器とからなるアフィリエイトシステムであって、前記サーバは、前記機器のＩＤである機器ＩＤ、および前記広告のＩＤである広告ＩＤを予め関連付けて記憶するＩＤ記憶手段と、前記携帯端末にユーザＩＤを与えるユーザＩＤ付与手段と、前記ユーザＩＤおよび表示した前記広告の広告ＩＤを前記携帯端末から取得する広告ＩＤ取得手段と、前記機器ＩＤを前記携帯端末を介して取得するとともに前記携帯端末から前記ユーザＩＤを取得する機器ＩＤ取得手段と、前記ＩＤ記憶手段、前記広告ＩＤ取得手段および前記機器ＩＤ取得手段から情報を取得して、前記携帯端末の利用者が表示した前記広告に関連する前記店舗に来店したか否かを判断する判断手段と、を備え、前記機器は、前記店舗に設置されて、当該機器のＩＤである前記機器ＩＤを保持することを特徴とするアフィリエイトシステムである。
第２の発明によれば、携帯端末の利用者が店舗に来店したか否かを、サーバの判断手段が判断することができる。
【００１６】
第３の発明は、店舗における物品販売またはサービス提供についての広告を表示した携帯端末の利用者が前記店舗に来店したか否かを判断する来店確認方法であって、前記携帯端末にユーザＩＤを与えるユーザＩＤ付与ステップと、前記ユーザＩＤおよび表示した前記広告のＩＤである広告ＩＤを前記携帯端末から取得する広告ＩＤ取得ステップと、前記店舗に設置された機器のＩＤである機器ＩＤを前記携帯端末を介して取得するとともに前記携帯端末から前記ユーザＩＤを取得する機器ＩＤ取得ステップと、前記機器ＩＤおよび前記広告ＩＤを予め関連付けて記憶するＩＤ記憶部と、前記広告ＩＤ取得ステップおよび前記機器ＩＤ取得ステップとから情報を取得して、前記携帯端末の利用者が表示した前記広告に関連する前記店舗に来店したか否かを判断する判断ステップと、を含むことを特徴とする来店確認方法である。
第３の発明によれば、携帯端末の利用者が店舗に来店したか否かを、サーバの判断手段が判断することができる。
【００１７】
第４の発明は、店舗における物品販売またはサービス提供についての広告を表示する携帯端末と情報を送受信するサーバ上で動作するプログラムであって、前記サーバを前記携帯端末にユーザＩＤを与えるユーザＩＤ付与手段、前記ユーザＩＤおよび表示した前記広告のＩＤである広告ＩＤを前記携帯端末から取得する広告ＩＤ取得手段、前記店舗に設置された機器のＩＤである機器ＩＤを前記携帯端末を介して取得するとともに前記携帯端末から前記ユーザＩＤを取得する機器ＩＤ取得手段、前記機器ＩＤおよび前記広告ＩＤを予め関連付けて記憶するＩＤ記憶部と、前記広告ＩＤ取得手段および前記機器ＩＤ取得手段とから情報を取得して、前記携帯端末の利用者が表示した前記広告に関連する前記店舗に来店したか否かを判断する判断手段、として機能させるためのプログラムである。
第４の発明によれば、サーバを第１の発明のサーバとして機能させることが可能になる。
【００１８】
第５の発明は、ユーザＩＤをサーバから取得するユーザＩＤ取得手段と、表示した前記広告の広告ＩＤを取得するとともに前記広告ＩＤおよび前記ユーザＩＤを前記サーバに送信する広告ＩＤ送信手段と、店舗に設置された機器から機器のＩＤである機器ＩＤを取得する機器ＩＤ通信手段と、取得した前記機器ＩＤおよび前記ユーザＩＤを前記サーバに送信する機器ＩＤ送信手段と、を備えることを特徴とする携帯端末である。
第５の発明によれば、携帯端末が第１の発明のサーバと情報を送受信して、携帯端末の利用者が店舗に来店したか否かを、サーバの判断手段が判断することを可能にできる。
【００１９】
第６の発明は、携帯端末を、ユーザＩＤをサーバから取得するユーザＩＤ取得手段、表示した前記広告の広告ＩＤを取得するとともに前記広告ＩＤおよび前記ユーザＩＤを前記サーバに送信する広告ＩＤ送信手段、店舗に設置された機器から機器のＩＤである機器ＩＤを取得する機器ＩＤ通信手段、および取得した前記機器ＩＤおよび前記ユーザＩＤを前記サーバに送信する機器ＩＤ送信手段として機能させるアプリケーションプログラムである。
第６の発明によれば、携帯端末を第５の発明の携帯端末として機能させることが可能となる。
【００２０】
第７の発明は、店舗における物品販売またはサービス提供についての広告を表示する携帯端末と情報を送受信するサーバであって、前記店舗に設置された機器のＩＤである機器ＩＤ、および前記広告のＩＤである広告ＩＤを予め関連付けて記憶するＩＤ記憶手段と、前記携帯端末にユーザＩＤを与えるユーザＩＤ付与手段と、前記ユーザＩＤおよび表示された前記広告の広告ＩＤを前記携帯端末から取得する広告ＩＤ取得手段と、前記機器から機器ＩＤを取得するとともに前記機器を介して前記ユーザＩＤを取得する機器ＩＤ取得手段と、を備えることを特徴とするサーバである。
第７の発明のサーバは、更に、判断手段を備え、前記判断手段は、前記ＩＤ記憶手段、前記広告ＩＤ取得手段および前記機器ＩＤ取得手段から情報を取得して、前記携帯端末の利用者が表示した前記広告に関連する前記店舗に来店したか否かを判断することが望ましい。
【００２１】
第８の発明は、店舗における物品販売またはサービス提供についての広告を表示する携帯端末との間で情報を送受信するサーバと、店舗に設置された機器とが、ネットワークを介して接続されたアフィリエイトシステムであって、前記サーバは、前記機器のＩＤである機器ＩＤ、および前記広告のＩＤである広告ＩＤを予め関連付けて記憶するＩＤ記憶手段と、前記携帯端末にユーザＩＤを与えるユーザＩＤ付与手段と、前記ユーザＩＤおよび表示された前記広告の広告ＩＤを前記携帯端末から取得する広告ＩＤ取得手段と、前記機器から前記機器ＩＤを取得するとともに前記機器を介して前記ユーザＩＤを取得する機器ＩＤ取得手段と、前記ＩＤ記憶手段、前記広告ＩＤ取得手段および前記機器ＩＤ取得手段から情報を取得して、前記携帯端末の利用者が表示した前記広告に関連する前記店舗に来店したか否かを判断する判断手段と、を備え、前記機器は、前記店舗に設置されて、当該機器のＩＤである機器ＩＤを保持することを特徴とするアフィリエイトシステムである。
【００２２】
第７または８の発明によれば、ＩＤ記憶部、広告ＩＤ取得手段並びに機器ＩＤ取得手段から情報を取得して、携帯端末の利用者が店舗に来店したか否かを、サーバの判断手段が判断することができる。さらに、これらの情報は広告媒体の主催者への成功報酬に利用できる。また、サーバが受け取るＩＤは、ユーザＩＤ、広告ＩＤ並びに機器ＩＤであるので、サーバが扱う情報量が少なく、サーバにかかる負荷が少なくできる。
また、前記機器がサーバに機器ＩＤおよびユーザＩＤを送るので、携帯端末を使用したユーザによるデータの改ざんが防止でき、より確実に利点確認をすることができる。
【発明の効果】
【００２３】
本発明によれば、ユーザＩＤを取得した携帯端末の利用者が広告に関連する店舗に来店したか否かを確実に判断でき、利便性の高いサーバ、アフィリエイトシステム、来店確認方法、プログラム、携帯端末、及び、アプリケーションプログラムを提供することができる。
【図面の簡単な説明】
【００２４】
【図１】アフィリエイトシステム１のシステム構成を示す図
【図２】携帯端末１０のハードウエア構成図
【図３】アフィリエイトサーバ２のハードウエア構成図
【図４】アプリケーションの初回起動時の動作を説明するためのシーケンス図
【図５】利用者による広告閲覧時の動作を説明するためのシーケンス図
【図６】実際の店舗への利用者の来店時の動作を説明するためのシーケンス図
【図７】アプリケーションによる表示部１９への表示例を示す図
【図８】アフィリエイトサーバ２の記憶部２５に保存されるテーブルを示す図
【図９】利用者のｗｅｂサイト閲覧時の動作を説明するためのシーケンス図
【図１０】携帯端末１０の表示部１９に表示されるｗｅｂサイトのページの一例を示す図
【図１１】実際の店舗で用いられるＩＣタグ３０の例を示す図
【図１２】店舗Ｒ／Ｗ４のハードウエア構成図
【図１３】アフィリエイトシステム１Ａでの利用者の来店時の動作を説明するためのシーケンス図
【図１４】アフィリエイトシステム１Ｂでの利用者の来店時の動作を説明するためのシーケンス図
【発明を実施するための形態】
【００２５】
以下図面に基づいて、本発明の実施形態を詳細に説明する。なお、以下の説明および添付図面において、略同一の機能構成を有する構成要素については、同一の符号を付することにより重複説明を省略することにする。
【００２６】
（第１の実施形態）
以下、本発明の第１の実施形態であるアフィリエイトシステム１を説明する。
図１は、アフィリエイトシステム１のシステム構成を示す図である。図１に示すように、アフィリエイトシステム１は、利用者が使用する携帯端末１０、利用者による広告の利用を管理するアフィリエイトサーバ２、携帯端末１０に広告サイトやメールを送る広告媒体サーバ８、利用者が来店の際に利用する店舗リーダライタ（店舗Ｒ／Ｗ４。なお、本実施形態では店舗Ｒ／Ｗ４は用いない。）やＩＣタグ３０、携帯端末１０が通話やデータの通信のために無線で接続する通信基地局６、携帯端末１０が無線ＬＡＮを利用するために接続するアクセスポイント５、およびこれらが接続するネットワーク９で構成されている。ここで、図１では広告媒体サーバ８とアフィリエイトサーバ２とが別に設けてあるが、アフィリエイトサーバ２が広告媒体サーバ８を兼ねていてもよい。
【００２７】
ＩＣタグ３０は、コイルアンテナ３２とＩＣチップ３１を有していて、携帯端末１０のＲ／Ｗ１１のアンテナ１３が発する磁界に反応して、ＩＣチップ３１に納められた情報をコイルアンテナ３２から発信する。コイルアンテナ３２が発する信号はＲ／Ｗ１１が受け取る。すなわち、携帯端末１０のＲ／Ｗ１１とＩＣタグ３０とは、非接触で通信する。
【００２８】
本実施形態のアフィリエイトシステム１は、携帯端末１０上でアフィリエイト用アプリケーションプログラム（以下「アプリケーション」と称する）が実行されることにより、以下の３つの期間
（１）アフィリエイト用アプリケーションプログラムの初回起動時
（２）利用者による広告閲覧時
（３）実際の店舗への利用者の来店時
に、携帯端末１０の制御部１５がアフィリエイトサーバ２と通信して情報の受け渡しを行う。そして、アフィリエイトサーバ２が得られた情報をもとに利用者の来店確認を確実に行うシステムである。
【００２９】
図２は、携帯端末１０のハードウエア構成を示す図である。図２に示すように、携帯端末１０は、制御部１５、記憶装置１６、通信部１７、入力部１８、表示部１９、ＩＣチップ２０、近距離通信モジュール１２およびアンテナ１３等がバス１４を介して接続されて構成される。
【００３０】
制御部１５は、記憶装置１６に記憶されたソフトウエアをもとに処理を行う。制御部１５の処理により、携帯端末１０は通話機能のほかブラウザ機能、メール機能などを発揮する。
【００３１】
記憶装置１６は、制御部１５が処理する情報のほか、携帯端末１０用のソフトウエアを記憶する。
【００３２】
通信部１７は制御部１５の制御により、外部の通信装置と音声通信や情報通信を行うもので、通信基地局６またはアクセスポイント５に接続して、携帯端末１０とネットワーク９上のアフィリエイトサーバ２との通信を仲介する。
【００３３】
入力部１８は、ボタンやタッチパネルなどで、利用者によって操作され、入力信号が制御部１５に送られる。また、マイクなどの音声入力手段（図示せず）で、音声による入力を行ってもよい。
【００３４】
表示部１９は、液晶パネルや有機ＥＬパネルなどで、制御部１５から送られた表示情報を表示する。なお、入力部１８と表示部１９とを一体化させて、例えばタッチパネル式の入出力装置を採用してもよい。
【００３５】
ＩＣチップ２０は、電子マネー、電子乗車券、個人識別などの情報処理および情報記録を行う専用ＩＣである。ＩＣチップとしては、例えば、ＦｅｌｉＣａ（登録商標）、ＮＦＣ（Ｎｅａｒ  Ｆｉｅｌｄ  Ｃｏｍｍｕｎｉｃａｔｉｏｎ）などがある。
【００３６】
近距離通信モジュール１２は近距離無線通信用の処理装置で、近距離無線通信用のアンテナ１３と組み合わせて、携帯電話やタブレットＰＣなどの携帯端末が数センチメートル程度の通信を行えるようにするものである。近距離通信モジュール１２の通信技術としては、例えば、ＮＦＣ（Ｎｅａｒ  Ｆｉｅｌｄ  Ｃｏｍｍｕｎｉｃａｔｉｏｎ）などがある。
【００３７】
携帯端末１０は、近距離通信モジュール１２とアンテナ１３によって、近距離無線通信用のリーダライター（Ｒ／Ｗ１１）としての機能を持つ。さらにＩＣチップ２０との組み合わせによって、携帯端末１０は非接触ＩＣカードとしての機能（非接触ＩＣカード機能２３）を持つ。
【００３８】
図３は、アフィリエイトサーバ２のハードウエア構成を示す図である。図３に示すように、アフィリエイトサーバ２は、制御部２４、記憶部２５、通信部２６、入力部２７、表示部２８、周辺機器Ｉ／Ｆ部２９等がバス３３を介して接続されて構成される。
【００３９】
制御部２４は、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、ＲＡＭ（Ｒａｎｄｏｍ
Ａｃｃｅｓｓ Ｍｅｍｏｒｙ）等により構成される。ＣＰＵは、記憶部２５、ＲＯＭ、記録媒体等に格納されるプログラムをＲＡＭ上のワークメモリ領域に呼び出して実行し、バス３３を介して接続された各部を駆動制御する。
【００４０】
アフィリエイトサーバ２の制御部２４は、携帯端末１０、広告媒体サーバ８および店舗Ｒ／Ｗ４などの外部機器と通信部２６を介して通信し、情報のやり取りを行う。特に、携帯端末１０からの要求に応じて、制御部２４はアフィリエイト用のユーザＩＤを発行する。また、制御部２４は、やり取りした情報を記憶部２５に記憶させるほか、受け入れた情報からアフィリエイトに必要な情報を抽出・加工して記憶部２５に記憶させる。そして、記憶された情報に基づいて、制御部２４は携帯端末１０の利用者が実際に来店したか否かの判断を行う。アフィリエイトサーバ２が広告媒体サーバ８を兼ねる場合には、制御部２４は広告情報を記憶部２５に記憶させて、必要に応じて通信部２６を介して携帯端末１０に広告情報を配信する。
【００４１】
記憶部２５は、ＨＤＤ（ハードディスクドライブ）、Ｆｌａｓｈメモリ等であり、制御部２４が実行するプログラムや、プログラム実行に必要なデータ、ＯＳ（オペレーティング・システム）等が格納されている。これらのプログラムコードは、制御部２４により必要に応じて読み出されて実行される。
【００４２】
また、アフィリエイトサーバ２の記憶部２５内には図８に示すような
（ａ）コンテンツ管理テーブル
（ｂ）アクセス履歴テーブル
（ｃ）かざし履歴テーブル
が記憶されている。
【００４３】
コンテンツ管理テーブル（図８（ａ））には、アプリケーションによって表示される広告コンテンツのコンテンツＩＤ、広告コンテンツが置かれているＵＲＬ、店舗におかれているＩＣタグや店舗Ｒ／ＷのＩＤ、特典コンテンツのＵＲＬなど情報が予め登録されている。コンテンツ管理テーブルは予め通信部２６を介して広告媒体サーバ８や店舗Ｒ／Ｗ４から情報が送られたものを、制御部２４が関連付けて作成する、もしくは、オペレータが表示部２８を確認しながら入力部２７から入力して作成してもよい。
【００４４】
アクセス履歴テーブル（図８（ｂ））には、利用者の広告利用ごとに、ユーザＩＤ、広告コンテンツのコンテンツＩＤ、および携帯端末１０の制御部１５がアフィリエイトサーバ２にアクセスした日時（アクセス日時）が、アフィリエイトサーバ２の制御部２４によって関連付けされて保存される。アクセス履歴テーブルにおけるこれらの情報は、携帯端末１０の利用者の広告閲覧時に保存される。
【００４５】
かざし履歴テーブルには、実際の店舗で利用者が携帯端末１０をＩＣタグ３０または店舗Ｒ／Ｗ４にかざすごとに、ユーザＩＤ、かざし日時およびタグＩＤ（またはＲＷＩＤ）がアフィリエイトサーバ２の制御部２４によって関連付けされて保存される。かざし履歴テーブルにおけるこれらの情報は、実際の店舗への利用者の来店時に保存される。
【００４６】
これら３つのテーブルの情報に基づいて、アフィリエイトサーバ２の制御部２４は、携帯端末１０の利用者が実際の店舗に来店したか否かを判断する。
【００４７】
次に、アフィリエイトシステム１の各部の動作を、以下の３つの期間に分けて説明する。
（１）アプリケーションの初回起動時
（２）利用者による広告閲覧時
（３）実際の店舗への利用者の来店時
【００４８】
（１）アプリケーションの初回起動時
はじめに、記憶部２５に記憶されているアフィリエイト用のアプリケーションの初回起動時を説明する。本実施形態のアフィリエイトシステム１では、初回起動時に携帯端末１０の制御部１５はユーザＩＤを取得する。なお、アプリケーションは、利用者がウエブサイトからダウンロードしたのちインストールしておくか、携帯端末供給者が携帯端末１０に予めインストールしておく。
【００４９】
図４を参照して、アプリケーションの初回起動時の携帯端末１０の制御部１５およびアフィリエイトサーバ２の動作を説明する。
はじめに利用者は、携帯端末１０にインストールされたアプリケーションを起動させる（Ｓ１）。
【００５０】
次に制御部１５は記憶部２５に記憶されているユーザＩＤを要求し、記憶部２５内にユーザＩＤが既に記憶されている場合は、制御部１５は記憶部２５からユーザＩＤを取得し（Ｓ３のＹＥＳ）、アプリケーションのトップ画面（図７（ａ））を表示部１９に表示する（Ｓ７）。記憶部２５内にユーザＩＤが記憶されておらず、取得できない場合（Ｓ３のＮＯ）は、制御部１５は通信部１７を介してアフィリエイトサーバ２にユーザＩＤを問い合わせる（Ｓ４）。
【００５１】
アフィリエイトサーバ２の制御部２４はユーザＩＤを発行して（Ｓ５）、制御部１５に渡す（Ｓ５）。
制御部１５はアフィリエイトサーバ２から受け取ったユーザＩＤを記憶部２５に保存する（Ｓ６）とともに、アプリケーションのトップ画面（図７（ａ））を表示部１９に表示する（Ｓ７）。
【００５２】
以上のようにして、アプリケーションの初回起動時に携帯端末１０の制御部１５はユーザＩＤを取得する。
【００５３】
（２）利用者による広告閲覧時
次に、利用者による広告閲覧時を説明する。本実施形態のアフィリエイトシステム１では、利用者による広告閲覧時に、アフィリエイトサーバ２はアクセス履歴テーブル（図８（ｂ））を作成して、ユーザＩＤと閲覧された広告とを関連付けする。
【００５４】
図５を参照して、表示された広告を利用者が閲覧するときの制御部１５およびアフィリエイトサーバ２の動作を説明する。
【００５５】
初回起動の後にアプリケーションが再度起動（Ｓ８）された場合には、制御部１５はトップ画面を表示部１９に表示する（Ｓ９）とともに、記憶部２５からユーザＩＤを取得する（Ｓ１０）。初回起動（１）から継続して広告を閲覧する場合は、Ｓ８〜Ｓ１０を経ずに次のＳ１１を行う。
【００５６】
トップ画面（図７（ａ））の操作案内に沿って、利用者は広告の見出しや広告記事を閲覧するか、または任意のキーワードで検索して、広告の見出しや広告記事を表示させて閲覧する（図７（ｂ））。利用者は気に入った広告見出しや広告記事について、入力部１８のボタン（図示せず）を押す、または、タッチパネル上で指先などで接触するなどして、閲覧する広告を選択する（Ｓ１１）。広告見出しおよび広告記事にはコンテンツＩＤが予め埋め込まれており、利用者が広告見出しを選択したり、表示された広告記事にタッチしたりすると、制御部１５はコンテンツＩＤを取得する。
【００５７】
制御部１５はコンテンツＩＤ、ユーザＩＤおよびデータ改ざん防止用のハッシュ値からＵＲＬを生成する（Ｓ１２）。例えば、ユーザＩＤがｈｗｒ４ｏ２、コンテンツＩＤがｆｆｆ＿ｒ１２０５３７であれば、
http://（アプリケーション固有の固定部）/（コンテンツＩＤ）/（ハッシュ値）/（ユーザＩＤ）
http://appli.affiliabc.jp/fff_i0512/hash_78242h/user_hwr4o2
のように構成する。なお、データ改ざん防止用のハッシュ値には、コンテンツＩＤおよびユーザＩＤから制御部１５によって算出されたものを用いる。
【００５８】
制御部１５はアフィリエイトサーバ２にＵＲＬを送ってコンテンツＩＤに該当する広告コンテンツを問い合わせる（Ｓ１３）。
【００５９】
携帯端末１０の制御部１５からＵＲＬが送られると、アフィリエイトサーバ２はＵＲＬからコンテンツＩＤおよびユーザＩＤを取得する。取得したコンテンツＩＤおよびユーザＩＤからアフィリエイトサーバ２はハッシュ値を再現し、ＵＲＬにあるハッシュ値と比較する。ハッシュ値どうしが一致すれば次のＳ１４を行うが、一致しないときは携帯端末１０の制御部１５にエラーを返す。
【００６０】
アフィリエイトサーバ２は記憶部２５のコンテンツ管理テーブル（図８（ａ））から、コンテンツＩＤに該当する広告コンテンツのＵＲＬを取得し、そのＵＲＬに置かれている広告コンテンツを携帯端末１０の制御部１５に送る（Ｓ１４）。そして、ユーザＩＤ、コンテンツＩＤ、およびアクセス日時を記憶部２５内のアクセス履歴テーブル（図８（ｂ））に保存する（Ｓ１５）。
【００６１】
携帯端末１０の制御部１５は、アフィリエイトサーバ２から送られた広告コンテンツを表示部１９に表示する。ただし、アフィリエイトサーバ２からエラーが送られた場合には、制御部１５は、エラーメッセージを表示する（Ｓ１６）。広告コンテンツは、例えば図７（ｃ）に示すように、実際の店舗に来店したいという気持ちを起こさせるために、利用者に与えられる特典で、例えばクーポンと呼ばれる割り引きや優待などがある。
【００６２】
以上のようにして、利用者による広告閲覧時にアフィリエイトサーバ２によって、ユーザＩＤ、コンテンツＩＤおよびアクセス日時が関連付けられる。
【００６３】
また、上記（２）では、制御部１５が広告の見出しを表示部１９に表示したが、Ｗｅｂブラウザによって広告情報を含んだｗｅｂサイトやメールを表示するようにしてもよい。
以下、図９を参照して、ｗｅｂサイトの広告情報（図１０）を利用する場合を説明する。この場合、図５のＳ８〜Ｓ１１で示した動作の代わりに、図９においてはＳ８ａ〜Ｓ１１ａが行われる。
【００６４】
利用者が携帯端末１０のｗｅｂブラウザを利用しｗｅｂサイト（図１０）を携帯端末１０上で表示し、入力部１８のボタン（図示せず）を押す、または、タッチパネル上で指先などで接触するなどして、リンク情報が埋め込まれた文字列を選択する（Ｓ８ａ）。リンク情報としてはアプリケーション識別子、起動パラメータ、コンテンツＩＤが予め埋め込まれている。リンク情報が埋め込まれた文字列が選択されると、アプリケーション識別子、起動パラメータ、コンテンツＩＤが制御部１５に送信される（Ｓ９ａ）。ここで、アプリケーション識別子はアフィリエイト用アプリケーションを指定するものである。
【００６５】
アプリケーション識別子および起動パラメータを受けると、アフィリエイト用のアプリケーションが起動するとともに、アプリケーションのトップ画面が表示部１９に表示される。制御部１５はコンテンツＩＤを取得する（Ｓ１０ａ）。さらに制御部１５はユーザＩＤを取得する（Ｓ１１ａ）。以降、図５のＳ１２〜Ｓ１６と同様の動作が行われる。
【００６６】
（３）実際の店舗への利用者の来店時
最後に、実際の店舗への利用者の来店時を説明する。本実施形態のアフィリエイトシステム１では、実際の店舗への利用者の来店時に、利用者がＩＣタグ３０に携帯端末１０をかざすことによって、来店確認が行われる。
【００６７】
携帯端末１０は、近距離通信モジュール１２とアンテナ１３によって、近距離無線通信用のリーダ／ライタ（Ｒ／Ｗ１１）の機能を発揮する。
【００６８】
図６を参照して、実際の店舗へ利用者が来店したときの制御部１５、アフィリエイトサーバ２、Ｒ／Ｗ１１およびＩＣタグ３０の動作を説明する。
【００６９】
利用者は来店時に携帯端末１０をＩＣタグ３０にかざすと、Ｒ／Ｗ１１はＩＣタグ３０に対してリードコマンドを送る（Ｓ１７）。
リードコマンドを受けたＩＣタグ３０は、Ｒ／Ｗ１１にアプリケーション起動コマンドとタグＩＤを渡し、さらにＲ／Ｗ１１が、制御部１５にアプリケーション起動コマンドとタグＩＤを渡す（Ｓ１８）。
【００７０】
Ｒ／Ｗ１１からアプリケーション起動コマンドが渡されると、アプリケーションが起動するとともに、アプリケーションのトップ画面が表示部１９に表示される。制御部１５は起動した日時を、携帯端末１０をＩＣタグ３０にかざした日時（かざし日時）として取得（Ｓ１９）する。さらに記憶部２５からユーザＩＤを取得する（Ｓ２０）。
【００７１】
制御部１５はタグＩＤ、ユーザＩＤ、かざし日時およびデータ改ざん防止用のハッシュ値からＵＲＬを生成する（Ｓ２１）。例えば、ユーザＩＤがｈｗｒ４ｏ２、タグＩＤがｔａｇ＿ｆｆｆ００１、かざし日時が２０１２年５月５日１０時２分４５秒であれば、
http://（アプリケーション固有の固定部）/（タグＩＤ）/（ハッシュ値）/（ユーザＩＤ）/（かざし日時）
http://appli.affiliabc.jp/tag_fff001/hash_49265g/user_hwr4o2/time_20120505100245
のように構成する。なお、データ改ざん防止用のハッシュ値はタグＩＤ、ユーザＩＤおよびかざし日時から制御部１５によって算出されたものを用いる。
【００７２】
携帯端末１０の制御部１５は、通信部１７を介してＵＲＬを送ってアフィリエイトサーバ２にアクセスする（Ｓ２２）。
【００７３】
制御部１５からＵＲＬが送られると、アフィリエイトサーバ２はＵＲＬからタグＩＤ、ユーザＩＤおよびかざし日時を取得する。取得したタグＩＤ、ユーザＩＤおよびかざし日時からアフィリエイトサーバ２はハッシュ値を再現し、ＵＲＬにあるハッシュ値と比較する。ハッシュ値どうしが一致すれば次のＳ２３を行うが、一致しないときは携帯端末１０の制御部１５にエラーを返す。
【００７４】
アフィリエイトサーバ２は記憶部２５のコンテンツ管理テーブル（図８（ａ））から、タグＩＤに該当する特典コンテンツのＵＲＬを参照し、そのＵＲＬに置かれている特典コンテンツをアプリケーションに送る（Ｓ２３）。そして、ユーザＩＤ、タグＩＤ、およびかざし日時を記憶部２５内のかざし履歴テーブル（図８（ｃ））に保存する（Ｓ２４）。
【００７５】
携帯端末１０の制御部１５は、アフィリエイトサーバ２から送られた特典コンテンツを表示部１９に表示する。ただし、アフィリエイトサーバ２からエラーが送られた場合には、制御部１５は、エラーメッセージを表示する（Ｓ２５）。特典コンテンツは、例えば図７（ｄ）に示すように、利用者が実際の店舗で特典を得られるクーポンと呼ばれる割り引きや優待などである。
【００７６】
以上のようにして、実際の店舗への利用者の来店時にアフィリエイトサーバ２によって、ユーザＩＤ、タグＩＤ、およびかざし日時が関連付けられる。
【００７７】
また、上記（３）で用いたＩＣタグ３０は、図１１に示すように実際の店舗で複数用意し、利用者の購入金額に応じてＩＣタグを変えるなどして、適宜利用することができる。この場合、用意したＩＣタグをアフィリエイトサーバ２のコンテンツ管理テーブル（図８（ａ））に予め登録しておく。
【００７８】
以上説明したように、本実施形態のアフィリエイトシステム１では、アフィリエイトサーバ２の記憶部２５に、コンテンツ管理テーブル（図８（ａ））、アクセス履歴テーブル（図８（ｂ））および、かざし履歴テーブル（図８（ｃ））が保存される。
アクセス履歴テーブルではユーザＩＤとコンテンツＩＤがアクセス日時とともに関連付けられ、かざし履歴テーブルではユーザＩＤとタグＩＤがかざし日時とともに関連付けられているので、アフィリエイトサーバ２の制御部２４は、同じユーザＩＤについてのコンテンツＩＤとタグＩＤについてコンテンツ管理テーブルを参照し、コンテンツＩＤとタグＩＤとが同じ店舗に関係するものであるかどうか判断する。コンテンツＩＤとタグＩＤとが同じ店舗に関係するものであれば、制御部２４は、利用者（ユーザＩＤ）が広告コンテンツ（コンテンツＩＤ）を閲覧した（アクセス日時）後に実際の店舗へ来店して、携帯端末１０をＩＣタグ３０（タグＩＤ）にかざした（かざし日時）と確認する。さらに、これらの情報は広告媒体の主催者への成功報酬に利用できる。
【００７９】
また、利用者の動作に伴って、アフィリエイトサーバ２が収集するＩＤは、ユーザＩＤ、コンテンツＩＤおよびタグＩＤであるので、アフィリエイトサーバ２が扱う情報量が少なく、アフィリエイトサーバ２にかかる負荷が少ない。また、アフィリエイトサーバ２が扱う情報量が少ないので、迅速に来店確認の判断ができる。また、ＩＣタグ３０を用いるので、ネットワーク９に接続していない店舗や電源のない屋外店舗でも来店確認ができて利便性が高い。
【００８０】
したがって、本実施形態によれば、利便性の高いアフィリエイトシステム１を提供することができる。
【００８１】
（第２の実施形態）
次に、第２の実施形態のアフィリエイトシステム１Ａを説明する。アフィリエイトシステム１Ａのシステム構成は第１の実施形態のアフィリエイトシステム１（図１）と同様である。ただし、本実施形態では、店舗Ｒ／Ｗ４とネットワーク９との間（図１中の破線）は接続されていない状態でもよい。
【００８２】
本実施形態のアフィリエイトシステム１Ａは、
（１）アプリケーションの初回起動時、および
（２）利用者による広告閲覧時
については、第１の実施形態のアフィリエイトシステム１と同様であるが、
（３）実際の店舗への利用者の来店時
においては、以下の４点が第１の実施形態の場合と異なる。
１．ＩＣチップ２０、近距離通信モジュール１２およびアンテナ１３によって、外部機器と携帯端末１０内のアプリケーションとが連携する。
２．ＩＣタグ３０を用いずに、かわりに店舗Ｒ／Ｗ４を用いる。この場合、店舗Ｒ／Ｗ４をアフィリエイトサーバ２のコンテンツ管理テーブル（図８（ａ））に予め登録しておく。
３．タグＩＤの代わりに店舗Ｒ／Ｗ４のＩＤであるＲＷＩＤが用いられる
４．かざし日時は店舗Ｒ／Ｗ４によって発行される
【００８３】
すなわち、本実施形態では、制御部１５、アフィリエイトサーバ２、ＩＣチップ２０および店舗Ｒ／Ｗ４の動作は、第１の実施形態のＳ１７〜Ｓ１９（図６）に代わってＳ１７ａ〜Ｓ１９ａが行われるが、Ｓ２０〜Ｓ２５はタグＩＤの代わりにＲＷＩＤが用いられる点が異なるのみで、第１の実施形態と同様に行われる。
【００８４】
図１２は、店舗Ｒ／Ｗ４のハードウエア構成を示す図である。図１２に示すように、店舗Ｒ／Ｗ４は、制御部４１、記憶部４２、通信部４３、表示部４４、入出力部４５等がバス４７を介して接続されて構成される。
【００８５】
制御部４１は、記憶部４２に記憶されたソフトウエアをもとに処理を行う。制御部４１の処理により、店舗Ｒ／Ｗ４はＩＣカードや携帯端末１０内のＩＣチップ２０（図２）の情報を読み書きする機能（リーダライタ機能）のほか、ＩＣタグのように振舞うＩＣタグ機能などを発揮する。
【００８６】
記憶部４２は、制御部１５が処理する情報や店舗Ｒ／Ｗ４のＩＤであるＲＷＩＤのほか、店舗Ｒ／Ｗ４用のソフトウエアを記憶する。
【００８７】
通信部４３は制御部４１の制御により、外部の通信装置と情報通信を行うものである。通信部４３は、通常はネットワーク９上のアフィリエイトサーバ２との通信を仲介するが、本実施形態では、通信部４３とネットワーク９間の通信状態が不通であってもかまわない。
【００８８】
入出力部４５は、制御部４１の制御により、アンテナ４６を介してＩＣカードや携帯端末１０内のＩＣチップ２０（図２）との間で情報の読み書きをするものである。
具体的には、店舗Ｒ／Ｗ４のアンテナ４６と携帯端末１０のアンテナ１３（図２）とが磁界を発生して互いに信号をやり取りする。すなわち、店舗Ｒ／Ｗ４と携帯端末１０とは、非接触で通信する。本実施形態では、制御部４１の制御によりアンテナ４６を介して、記憶部４２に記憶されたＲＷＩＤを携帯端末１０に与える通信を行う。言い換えれば、第１の実施形態のＩＣタグ３０のように振舞う機能を発揮する。
【００８９】
表示部１９は、液晶パネルや有機ＥＬパネルなどで、電源状態やアフィリエイトサーバ２との通信状態など、制御部１５から送られた表示情報を表示する。
【００９０】
以下に図１３を参照して、制御部１５、アフィリエイトサーバ２、ＩＣチップ２０および店舗Ｒ／Ｗ４の動作を説明する。
【００９１】
利用者は来店時に携帯端末１０を店舗Ｒ／Ｗ４にかざすと、ＩＣチップ２０と店舗Ｒ／Ｗ４との間で非接触通信が行われ、店舗Ｒ／Ｗ４はアプリケーション起動コマンド、ＲＷＩＤおよびかざし日時をＩＣチップ２０に送る（Ｓ１７ａ）。ここでかざし日時は、携帯端末１０がかざされた日時を店舗Ｒ／Ｗ４が発行するものである。ＩＣチップ２０はアプリケーション起動コマンド、ＲＷＩＤおよびかざし日時を制御部１５へ渡す（Ｓ１８ａ）。
【００９２】
ＩＣチップ２０からアプリケーション起動コマンドが渡されると、アプリケーションが起動するとともに、アプリケーションのトップ画面が表示部１９に表示される。制御部１５は、ＲＷＩＤおよびかざし日時を取得する（Ｓ１９ａ）。以降、第１の実施形態のＳ２０〜Ｓ２５（図６）が同様に行われる。ただし、タグＩＤの代わりにＲＷＩＤが用いられる。
【００９３】
以上のようにして、実際の店舗への利用者の来店時にアフィリエイトサーバ２によって、ユーザＩＤ、ＲＷＩＤ、およびかざし日時が関連付けられる。
【００９４】
以上説明したように、本実施形態のアフィリエイトシステム１Ａでは、第１の実施形態と同様の効果を得られるとともに、店舗Ｒ／Ｗ４がネットワーク９に接続されていなくても来店確認ができる。
【００９５】
また、かざし日時が店舗Ｒ／Ｗ４によって発行されるので、利用者によるかざし日時の改ざんを防ぐことができ、より確実な来店確認ができる。
また、本実施形態では、店舗Ｒ／Ｗ４がＩＣタグ機能を発揮できればよいので、店舗Ｒ／Ｗ４の電源はバッテリーや小型太陽光発電装置によるものでもよい。この場合、電源のない屋外の店舗において来店確認が可能となり、利便性が高い。
【００９６】
（第３の実施形態）
次に、第３の実施形態のアフィリエイトシステム１Ｂを説明する。アフィリエイトシステム１Ｂのシステム構成は第１の実施形態のアフィリエイトシステム１（図１）と同様である。ただし、本実施形態では、図１のシステム構成において、店舗Ｒ／Ｗ４とネットワーク９との間（図１中の破線）は接続状態とする。
【００９７】
本実施形態のアフィリエイトシステム１Ｂは、
（１）アフィリエイト用アプリケーションプログラムの初回起動時、および
（２）利用者による広告閲覧時
については、第１の実施形態のアフィリエイトシステム１と同様であるが、
（３）実際の店舗への利用者の来店時
においては、以下の５点が第１の実施形態の場合と異なる。
【００９８】
１．ＩＣチップ２０、近距離通信モジュール１２およびアンテナ１３によって、携帯端末１０が機器間連携機能を発揮している（いわゆるＰ２Ｐモードで動作する）。
２．ＩＣタグ３０のかわりに店舗Ｒ／Ｗ４が用いられる（この場合、店舗Ｒ／Ｗ４をアフィリエイトサーバ２のコンテンツ管理テーブル（図８（ａ））に予め登録しておく。）
３．タグＩＤの代わりに店舗Ｒ／Ｗ４のＩＤであるＲＷＩＤが用いられる。
４．かざし日時は店舗Ｒ／Ｗ４によって発行される
５．店舗Ｒ／Ｗ４がＵＲＬを生成し、ネットワーク９に接続してアフィリエイトサーバ２にアクセスする
また、第２の実施形態では店舗Ｒ／Ｗ４はＩＣタグのように振舞ったが、本実施形態ではリーダライタとして携帯端末１０のＩＣチップ２０の情報を読み出す。
【００９９】
図１４を参照して、制御部１５、アフィリエイトサーバ２、ＩＣチップ２０および店舗Ｒ／Ｗ４の動作を説明する。
利用者は来店時に携帯端末１０を店舗Ｒ／Ｗ４にかざすと、店舗Ｒ／Ｗ４は携帯端末１０がかざされた日時をかざし日時として取得する（Ｓ３０）。ＩＣチップ２０と店舗Ｒ／Ｗ４との間では非接触通信が行われ、店舗Ｒ／Ｗ４はアプリケーション起動コマンドとユーザＩＤ要求をＩＣチップ２０を介して制御部１５に送る（Ｓ３１）。
【０１００】
ＩＣチップ２０からアプリケーション起動コマンドが渡されると、アプリケーションが起動し（Ｓ３２）、制御部１５は記憶部２５からユーザＩＤを取得する（Ｓ３３）。
【０１０１】
制御部１５はＩＣチップ２０を介して（Ｓ３４）、店舗Ｒ／Ｗ４にユーザＩＤを渡す（Ｓ３５）。さらに制御部１５は、アフィリエイトサーバ２にトップページのコンテンツを要求し（Ｓ３６）、アフィリエイトサーバ２から送られたコンテンツ（Ｓ３７）を表示部１９に表示する(Ｓ３８)。
【０１０２】
店舗Ｒ／Ｗ４は、ＲＷＩＤ、ユーザＩＤ、かざし日時およびデータ改ざん防止用のハッシュ値からＵＲＬを生成する（Ｓ３９）。例えば、ＲＷＩＤがｒｗ＿ｂｂｂ３、ユーザＩＤがａｌ５ａｖｓ、かざし日時が２０１２年５月７日９時２３分１０秒であれば、
http://（店舗Ｒ／Ｗ固有の固定部）/（ＲＷＩＤ）/（ハッシュ値）/（ユーザＩＤ）/（かざし日時）
http://store.affiliabc.jp/rw_bbb3/hash_96232w/user_al5avs/time_20120507092310
のように構成する。なお、データ改ざん防止用のハッシュ値はＲＷＩＤ、ユーザＩＤおよびかざし日時から店舗Ｒ／Ｗ４によって算出されたものを用いる。
【０１０３】
店舗Ｒ／Ｗ４は、ＵＲＬを送ってアフィリエイトサーバ２にアクセスする（Ｓ４０）。
【０１０４】
店舗Ｒ／Ｗ４からＵＲＬが送られると、アフィリエイトサーバ２はＵＲＬからＲＷＩＤ、ユーザＩＤおよびかざし日時を取得する。取得したタグＩＤ、ユーザＩＤおよびかざし日時からアフィリエイトサーバ２はハッシュ値を再現し、ＵＲＬにあるハッシュ値と比較する。ハッシュ値どうしが一致すれば次のＳ４１を行うが、一致しないときは店舗Ｒ／Ｗ４にエラーを返す。
【０１０５】
アフィリエイトサーバ２は記憶部２５のコンテンツ管理テーブルから、ＲＷＩＤに該当する特典コンテンツのＵＲＬを参照し、そのＵＲＬに置かれている特典コンテンツを携帯端末１０の制御部１５に送る（Ｓ４１）。そして、ユーザＩＤ、ＲＷＩＤ、およびかざし日時を記憶部２５内のかざし履歴テーブルに保存する（Ｓ４２）。
【０１０６】
携帯端末１０の制御部１５は、アフィリエイトサーバ２から送られた特典コンテンツを表示部１９に表示する。ただし、アフィリエイトサーバ２からエラーが送られた場合には、制御部１５は、エラーメッセージを表示する（Ｓ４０）。
【０１０７】
以上のようにして、実際の店舗への利用者の来店時にアフィリエイトサーバ２によって、ユーザＩＤ、ＲＷＩＤ、およびかざし日時が関連付けられる。
【０１０８】
以上説明したように、本実施形態のアフィリエイトシステム１Ｂでは、第１の実施形態と同様の効果を得られるとともに、携帯端末１０が通信可能な場所にでなくても来店確認ができる。
【０１０９】
また、かざし日時が店舗Ｒ／Ｗ４によって発行されるので、利用者によるかざし日時の改ざんを防ぐことができ、より確実な来店確認ができる。
また、店舗Ｒ／Ｗ４によってＲＷＩＤ、ユーザＩＤおよびかざし日時がアフィリエイトサーバ２に送られるので、利用者によるこれらの情報の捏造または改ざんを防ぐことができ、より確実な来店確認ができる。
【０１１０】
以上、添付図面を参照しながら、本発明に係るアフィリエイトシステムの好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１１１】
１（１Ａ、１Ｂ）………アフィリエイトシステム
２………………アフィリエイトサーバ
４………………店舗Ｒ／Ｗ
５………………アクセスポイント
６………………通信基地局
８………………広告媒体サーバ
９………………ネットワーク
１０……………携帯端末
１１……………Ｒ／Ｗ
１２……………近距離通信モジュール
１３……………アンテナ
１４……………バス
１５……………プロセッサ
１６……………記憶装置
１７……………通信部
１８……………入力部
１９……………表示部
２０……………ＩＣチップ
２３……………非接触ＩＣカード
２４……………制御部
２５……………記憶部
２６……………通信部
２７……………入力部
２８……………表示部
２９……………周辺機器Ｉ／Ｆ部
３０……………ＩＣタグ
３１……………ＩＣチップ
３２……………コイルアンテナ
３３……………バス
４１……………制御部
４２……………記憶部
４３……………通信部
４４……………表示部
４５……………入出力部
４６……………アンテナ
４７……………バス
【図１】
2014059774.tif 000003
【図２】
2014059774.tif 000004
【図３】
2014059774.tif 000005
【図４】
2014059774.tif 000006
【図５】
2014059774.tif 000007
【図６】
2014059774.tif 000008
【図７】
2014059774.tif 000009
【図８】
2014059774.tif 000010
【図９】
2014059774.tif 000011
【図１０】
2014059774.tif 000012
【図１１】
2014059774.tif 000013
【図１２】
2014059774.tif 000014
【図１３】
2014059774.tif 000015
【図１４】
2014059774.tif 000016